(57)【要約】【課題】携帯性を損なうことなく簡単な操作で高精度な認証を可能とする携帯電話機を提供すること。【解決手段】携帯電話機１において、携帯電話機１の本体内部に実装されるとともに携帯電話機１の本体にかかる加速度を検知する加速度センサ部５と、基準となる少なくとも文字列データ及び筆跡データを含む基準用認証データを記憶する記憶部７と、加速度センサ部５により検知した加速度データに基づいて、文字認識した文字列データを生成するとともに、筆跡解析した筆跡データを生成し、生成した文字列データ及び筆跡データを含む認証データと、記憶部７に記憶された基準用認証データとを照合する認証部６と、認証部６の照合結果に応じてセキュリティロックを解除する制御部２と、を備える。【選択図】図１
2008078763.tif 000002
【特許請求の範囲】
【請求項１】
携帯電話機の本体内部に実装されるとともに前記携帯電話機の本体にかかる加速度を検知する加速度センサ部と、
基準となる少なくとも文字列データを含む基準用認証データを記憶する記憶部と、
前記加速度センサ部により検知した加速度データに基づいて文字認識した文字列データを生成するとともに、少なくとも生成した前記文字列データを含む認証データと、前記記憶部に記憶された前記基準用認証データとを照合する認証部と、
前記認証部の照合結果に応じてセキュリティロックを解除する制御部と、
を備えることを特徴とする携帯電話機。
【請求項２】
前記基準用認証データは、基準となる筆跡データを含み、
前記認証部は、前記加速度データに基づいて筆跡解析した筆跡データを生成し、
前記認証データは、生成した前記筆跡データを含むことを特徴とする請求項１記載の携帯電話機。
【請求項３】
前記認証部は、辞書検索モードの際に、前記加速度センサ部により検知した加速度データに基づいて文字認識した文字データを生成し、
前記記憶部は、辞書データを記憶し、
前記制御部は、辞書検索モードの際に、生成した前記文字データに基づいて、前記記憶部に記憶されている前記辞書データを検索し、対応する辞書データを表示部に表示させることを特徴とする請求項１又は２記載の携帯電話機。
【発明の詳細な説明】
【技術分野】
【０００１】
本発明は、携帯電話機に関し、特に、加速度センサを備える携帯電話機に関する。
【背景技術】
【０００２】
携帯電話機には、電話帳や画像やメールなどの個人情報を守るために様々なセキュリティ機能が搭載されている。最も一般的なものはパスワードによる認証であるが、単純な数字の組み合わせであるためにパスワードが漏れてしまう危険性を持っている。その他にも、指紋認証や顔認証などの認証機能が存在するが、特殊な機能や装備が必要となり携帯電話機のサイズが大きくなったり操作が複雑となったりする可能性がある。
【０００３】
そこで、携帯型３次元加速度センサの検出信号を利用して個人認証を行うことができる動作認識装置が提案されている（特許文献１参照）。この動作認識装置では、３次元加速度をセンシングする携帯型３次元加速度センサと、携帯型３次元加速度センサの検出した３次元加速度の時間的推移を特徴量として抽出する特徴量抽出手段と、３次元加速度の基準特徴量を保持する特徴量データベースと、特徴量抽出手段の抽出した特徴量と特徴量データベースに保持されている基準特徴量とのマッチングを実行するマッチング処理手段と、マッチング処理手段がマッチングに成功したら認証成立信号を出力する認証成立信号出力手段とを備えている。特許文献１では、このような動作認識装置を携帯電話に採用することができるとしている。
【０００４】
【特許文献１】特開２００５−９２７２２号公報
【発明の開示】
【発明が解決しようとする課題】
【０００５】
しかしながら、この動作認識装置における携帯型３次元加速度センサは、ユーザが手に持って軽く、自在に動かせる大きさとなっているため、携帯電話機本体との一体感がなく、携帯性に欠ける。また、この動作認識装置では、特徴量抽出手段の抽出した特徴量と特徴量データベースに保持されている基準特徴量とのマッチングのみにより認証を行っているため、安全性に欠けるおそれがある。
【０００６】
本発明の主な課題は、携帯性を損なうことなく簡単な操作で高精度な認証を可能とする携帯電話機を提供することである。
【課題を解決するための手段】
【０００７】
本発明の視点においては、携帯電話機において、携帯電話機の本体内部に実装されるとともに前記携帯電話機の本体にかかる加速度を検知する加速度センサ部と、基準となる少なくとも文字列データを含む基準用認証データを記憶する記憶部と、前記加速度センサ部により検知した加速度データに基づいて文字認識した文字列データを生成するとともに、少なくとも生成した前記文字列データを含む認証データと、前記記憶部に記憶された前記基準用認証データとを照合する認証部と、前記認証部の照合結果に応じてセキュリティロックを解除する制御部と、を備えることを特徴とする。
【０００８】
本発明の前記携帯電話機において、前記基準用認証データは、基準となる筆跡データを含み、前記認証部は、前記加速度データに基づいて筆跡解析した筆跡データを生成し、前記認証データは、生成した前記筆跡データを含むことが好ましい。
【０００９】
本発明の前記携帯電話機において、前記認証部は、辞書検索モードの際に、前記加速度センサ部により検知した加速度データに基づいて文字認識した文字データを生成し、前記記憶部は、辞書データを記憶し、前記制御部は、辞書検索モードの際に、生成した前記文字データに基づいて、前記記憶部に記憶されている前記辞書データを検索し、対応する辞書データを表示部に表示させることが好ましい。
【発明の効果】
【００１０】
本発明によれば、加速度センサを用いることにより、画面上から直接文字列をキー入力する必要が無いために携帯電話機にタッチパネルなどのサイズが大きくなる特殊装置を搭載する必要も無い。また、携帯電話機を空中で振って文字を描くことで認証を行うので、携帯性を損なうことなく簡単な操作で認証を行うことができる。また、文字列データによる認証に加えて筆跡データによる筆跡鑑定の二重ロックを行うので、より高精度な本人照合を行うことが可能となる。
【発明を実施するための最良の形態】
【００１１】
本発明の実施形態１に係る携帯電話機について図面を用いて説明する。図１は、本発明の実施形態１に係る携帯電話機の構成を模式的に示したブロック図である。
【００１２】
携帯電話機１は、通話可能な携帯型通信端末であり、制御部２と、操作部３と、表示部４と、加速度センサ部５と、認証部６と、記憶部７と、通信部８と、音声処理部９と、を有する。
【００１３】
制御部２は、記憶部７に記憶されたプログラムに基づいて、所定の情報処理を行うとともに、各構成部３〜９の動作を制御する部分である。操作部３は、文字情報の入力やキー操作を行う部分である。表示部４は、所定の情報を表示する部分である。加速度センサ部５は、携帯電話機本体内部に実装され、携帯電話機本体にかかる３次元加速度を検知し、検知した加速度データを認証部６に向けて出力する部分である。
【００１４】
認証部６は、加速度センサ部５により検知した加速度データに基づいて文字認識した文字列データを生成するとともに、前記加速度データに基づいて筆跡解析した筆跡データを生成し、生成した文字列データ及び筆跡データを含む認証データを情報処理する。認証部６は、基準用認証データを登録する際に、基準用認証データを記憶部７に登録する。認証部６は、セキュリティロックを解除する際に、加速度センサ部５により検知した加速度データに基づいて文字認識した文字列データを生成するとともに、前記加速度データに基づいて筆跡解析した筆跡データを生成し、生成した文字列データ及び筆跡データを含む認証データと、記憶部７に記憶された基準用認証データとの照合を行う。
【００１５】
記憶部７は、所定のデータ、プログラム等を記憶する部分である。記憶部７は、基準用認証データを登録する際に、認証部６によって生成された基準用認証データを記憶する。通信部８は、情報ネットワーク（図示せず）を介して他の携帯電話機やサーバ等との間で通信を行い、所定の情報を送受信する部分である。音声処理部９は、レシーバ（図示せず）及びマイク（図示せず）に対する音声データを処理する部分である。
【００１６】
次に、本発明の実施形態１に係る携帯電話機の基準用認証データの登録動作について図面を用いて説明する。図２は、本発明の実施形態１に係る携帯電話機における基準用認証データの登録動作を模式的に示したフローチャートである。
【００１７】
まず、ユーザは、操作部３の操作により基準用認証データの登録モードを要求する（ステップＡ１）。基準用認証データの登録モードになると、制御部２は、加速度センサ部５を起動させ、表示部４に基準用認証データの採取を要求するメッセージを表示させる（ステップＡ２）。次に、ユーザは、携帯電話機１を振って空中で文字列（署名）を描く（ステップＡ３）。このとき、加速度センサ部５で文字列を検知し、加速度センサ部５から出力された加速度データを認証部６に渡し、認証部６にて加速度データに基づいて文字列データと筆跡データを生成し、生成した文字列データと筆跡データを含む基準用認証データを生成して記憶部７に登録し（ステップＡ４）、終了する。
【００１８】
次に、本発明の実施形態１に係る携帯電話機のセキュリティロックの設定動作について図面を用いて説明する。図３は、本発明の実施形態１に係る携帯電話機におけるセキュリティロックの設定動作を模式的に示したフローチャートである。
【００１９】
まず、ユーザは、操作部３の操作によりセキュリティロックの設定を要求する（ステップＢ１）。セキュリティロックの設定の要求を受けると、制御部２は、記憶部７に登録された基準用認証データを認証キーとして携帯電話機１のセキュリティロックを設定する（ステップＢ２）。その後、表示部４は、セキュリティロック設定中を表すメッセージを表示し（ステップＢ３）、終了する。
【００２０】
次に、本発明の実施形態１に係る携帯電話機のセキュリティロックの解除動作について図面を用いて説明する。図４は、本発明の実施形態１に係る携帯電話機におけるセキュリティロックの解除動作を模式的に示したフローチャートである。
【００２１】
まず、ユーザは、操作部３の操作によりセキュリティロックの解除を要求する（ステップＣ１）。セキュリティロックの解除の要求を受けると、制御部２は、加速度センサ部５を起動し、表示部４に認証データの採取を要求するメッセージを表示する（ステップＣ２）。次に、ユーザは、携帯電話機１を振って空中で文字列（署名）を描く（ステップＣ３）。このとき、加速度センサ部５で文字列を検知し、加速度センサ部５から出力された加速度データを認証部６に渡し、認証部６にて加速度データに基づいて文字列データと筆跡データを生成し、生成した文字列データと筆跡データを含む認証データを生成する（ステップＣ４）。次に、認証部６は、生成した認証データと、記憶部７に記憶されている基準用認証データと照合し、照合が成功したか否かを確認する（ステップＣ５）。照合が成功した場合（ステップＣ５のＹＥＳ）、制御部２は、携帯電話機１のセキュリティロックを解除し（ステップＣ６）、終了する。照合に失敗した場合（ステップＣ５のＮＯ）、制御部２は、表示部４にロック解除不可能である旨のメッセージを表示させ（ステップＣ７）、終了する。
【００２２】
実施形態１によれば、加速度センサ５を用いることにより、画面上から直接文字列をキー入力する必要が無いために携帯電話機１にタッチパネルなどのサイズが大きくなる特殊装置を搭載する必要も無い。また、携帯電話機１を空中で振って文字を描くことで認証を行うので、携帯性を損なうことなく簡単な操作で認証を行うことができる。また、文字列データによる認証に加えて筆跡データによる筆跡鑑定の二重ロックを行うので、より高精度な本人照合を行うことが可能となる。
【００２３】
（実施形態２）
本発明の実施形態２に係る携帯電話機について説明する。
【００２４】
実施形態２に係る携帯電話機では、携帯電話機（図１の１）を空中で振って文字を描くことにより検出した文字列データに基づいて、読み方が不明な漢字の検索など辞書の検索キーワードとして使用可能にしたものである。
【００２５】
動作としては、まず、ユーザは、操作部（図１の３）の操作により辞書の検索モードを要求する。辞書の検索モードになると、制御部（図１の２）は、加速度センサ部（図１の５）を起動させ、表示部（図１の４）に文字の入力を要求するメッセージを表示させる。次に、ユーザは、携帯電話機１を振って空中で文字（読み方が不明な漢字）を描く。このとき、加速度センサ部（図１の５）で文字を検知し、加速度センサ部（図１の５）から出力された加速度データを認証部（図１の６）に渡し、認証部６にて加速度データに基づいて文字データを生成する。次に、制御部（図１の２）は、生成した文字データに基づいて、記憶部（図１の７）に予め記憶されている辞書データ（漢字、読み方等を含む）を検索し、対応する辞書データを表示部（図１の４）に表示させる。
【００２６】
実施形態２によれば、実施形態１に係る携帯電話機の機能を利用して、読み方が不明な漢字の検索など辞書の検索を行うことができる。
【図面の簡単な説明】
【００２７】
【図１】本発明の実施形態１に係る携帯電話機の構成を模式的に示したブロック図である。
【図２】本発明の実施形態１に係る携帯電話機における基準用認証データの登録動作を模式的に示したフローチャートである。
【図３】本発明の実施形態１に係る携帯電話機におけるセキュリティロックの設定動作を模式的に示したフローチャートである。
【図４】本発明の実施形態１に係る携帯電話機におけるセキュリティロックの解除動作を模式的に示したフローチャートである。
【符号の説明】
【００２８】
１  携帯電話機
２  制御部
３  操作部
４  表示部
５  加速度センサ部
６  認証部
７  記憶部
８  通信部
９  音声処理部
【図１】
2008078763.tif 000003
【図２】
2008078763.tif 000004
【図３】
2008078763.tif 000005
【図４】
2008078763.tif 000006